(57)【要約】      （修正有）【課題】照明機能を備えた席札表示装置において、席札の照明効率を改善して、低出力光源でも充分な注意喚起効果や照明・装飾効果を発揮する。【解決手段】非透明体の本体１と、透明板で形成された席札２で構成され、本体上部に席札装着用の溝部１２を形成すると共に、溝内の適宜箇所に発光体１１を設け、本体に、発光体の電源となる電池１３の収納部１４及び発光体の点灯を制御するスイッチ部を備えさせ、席札が、席札を溝部に装着した際に発光体を覆うような下端面を有する凹状部２２を形成すると共に、席札の下端面から席札内への入射光を、所定の反射（所定方向への反射或いは、乱反射）を行なわせる発光部２３を設けてなる。【選択図】図１
0003123786.tif 000002
【実用新案登録請求の範囲】
【請求項１】
非透明体の本体と透明板で形成された席札で構成され、本体上部に席札装着用の溝部を形成すると共に、前記溝内の適宜箇所に発光体を設け、本体に、前記の発光体の電源となる電池の収納部及び発光体の点灯を制御するスイッチ部を備えさせ、席札が、席札を前記溝部に装着した際に前記発光体を覆うような下端面を有する凹状部を形成すると共に、席札の前記下端面から席札内への入射光を、所定の反射を行なわせる発光部を設けてなることを特徴とする席札表示装置。
【請求項２】
発光体が発光ダイオードである請求項１記載の席札表示装置。
【請求項３】
発光部が入射光を乱反射させる構造としてなる請求項１又は２記載の席札表示装置。
【請求項４】
席札の外周端面を傾斜粗面に形成して、発光部としてなる請求項３記載の席札表示装置。
【考案の詳細な説明】
【技術分野】
【０００１】
本考案は、テーブル上に設置する席札表示装置に関するものである。
【背景技術】
【０００２】
席札の表示手段としては、所定の席札（ネームプレート、案内表示板等）を、席札を差し込み装着する溝を有するベース体に装着して、テーブル上に載置することが知られている。
【０００３】
特に装飾性を高めるために、ベース体に照明機構（発光体）を内装したものも知られている（特許文献１，２）。
【０００４】
例えば特許文献１（登録実用新案第３０９７７５１号公報）には、透明プラスチック製本体の上面の横方向に、下前方に傾斜する溝部を設け、該溝部の後方に発光体（電池内臓）を設け、溝部に装着した席札を背面から照らし、席札の氏名が浮き出て見えるようにしている席札等の表示装置が開示されている。
【０００５】
また特許文献２（特開２００５−４７１４５号公報）には、多角柱山型形状の透光性透明体内に発光ダイオードを設けると共に、透明体の頂部にカードを装着する溝を形成している席札等の表示装置が開示されている。
【０００６】
【特許文献１】登録実用新案第３０９７７５１号公報。
【特許文献２】特開２００５−４７１４５号公報。
【考案の開示】
【考案が解決しようとする課題】
【０００７】
照明機構を付設した特許文献１記載の表示装置は、席札の背面に照明を配置し、席札を背面からの透過光によって視認性を高めているもので、席札全体を照射するために、相応の光度の光源を必要とする。しかも本体自体が透明体で光を放射するものであるから、その分席札の表示が目立たなくなってしまう。
【０００８】
また特許文献２記載の席札表示装置は、席札を支持する本体が輝くものであり、装飾性を目的とし、席札自体に注目させるという席札表示装置の目的からは外れてしまう。
【０００９】
そこで本考案は、発光ダイオード等の低出力光源で充分に席札が注目される新規な構造の席札表示装置を提案したものである。
【課題を解決するための手段】
【００１０】
本発明に係る席札表示装置は、非透明体の本体と透明板で形成された席札で構成され、本体上部に席札装着用の溝部を形成すると共に、前記溝内の適宜箇所に発光体を設け、本体に、前記の発光体の電源となる電池の収納部及び発光体の点灯を制御するスイッチ部を備えさせ、席札が、席札を前記溝部に装着した際に前記発光体を覆うような下端面を有する凹状部を形成すると共に、席札の前記下端面から席札内への入射光を、所定の反射（所定方向への反射或いは、乱反射）を行なわせる発光部を設けてなることを特徴とするものである。
【００１１】
従って席札を本体の溝部に装着して、発光体を点灯すると、発光体からの光は席札端面から席札内に入射する。この入射光は発光部で所定方向に反射させると、所定方向から視認した場合に、当該反射光によって席札の発光部の輝きが認められることになり、発光部で乱反射させると、何れの方向からも席札の発光部の輝きが認められる。
【考案の効果】
【００１２】
本考案は上記の通りであるから、席札の照明（発光）に使用する光源の光は、直接席札に入射させるものであるから、席札の照明効率に優れたものになり、レストランや宴会場のように照明を落としたような会場においては、低出力光源でも充分な注意喚起効果や照明・装飾効果が発揮されるものである。
【考案を実施するための最良の形態】
【００１３】
次に本考案の実施形態について説明する。実施形態に示した席札表示装置は、本体１と、席札２で構成される。
【００１４】
本体１は、内装される発光体（発光ダイオード）１１の光が無駄に放射されないように非透明体で、細長箱状に形成したもので、上部に席札１を装着するための溝部１２を形成すると共に、前記溝部１２内の適宜箇所（約中央箇所）に、発光ダイオードからなる発光体１１を設けてなる。
【００１５】
また前記の発光体１１の電源となる電池１３を収納する収納部１４、及び発光体の点灯を制御するスイッチ部１５を備えてなるものである。
【００１６】
電池の収納部１４は、本体１の底面に着脱自在若しくは開閉自在の蓋体１６を設け、蓋体１６の内面側に凹部を形成して設けたもので、凹部内の両端に電極を設け、前記電極からのリード線を発光体１１と接続し、リード線の途中にスイッチ部１５を介設する。
【００１７】
スイッチ部１５は、適宜なスイッチ操作部を本体の適宜箇所に露出して設け、同操作部の操作で発光体１１の点灯・消灯を制御する。
【００１８】
席札２は、前記本体１の幅と略同一の幅とした矩形の透明板（アクリル樹脂板）で形成したもので、表面に所定の文字２１を表記したもので、前記溝部１２に嵌合装着される厚さとし、特に下端面には、溝部１２に席札２を装着した際に、前記発光体１１を覆うような凹状部２２を形成してなり、また上辺及び左右辺の外周端面を傾斜粗面に形成して、発光部２３としてなるものである。
【００１９】
また席札２の溝部１２への嵌合装着に際して、本体１と席札２がずれないように本体１の溝底面の一部（両端位置）に鉤止部１７を設け、当該鉤止部１７と対応する席札２の下端面にも鉤止部２４を設けてなる。勿論鉤止部に替えて磁気吸着、差し込み係止などの任意の構造を採用できるものである。
【００２０】
従って席札２を本体１の溝部１２に装着して、発光体１１を点灯すると、発光体１１からの光は席札２の下端面から席札２内に入射する。この入射光は透明な席札２内で拡散し、上辺及び両側辺の端面から外部に放射され、当該放射箇所（発光部２３）において乱反射するので、席札２は、端面傾斜幅の下方開口コの字状で明るく輝くことになり、席札の注目効果を高めたものである。
【００２１】
尚席札２の発光形態は、発光部の構造で任意に選択できるものである。例えば席札２を半円形状とするとアーチ型の発行形態とすることができ、席札２に気泡を内在させた構造に形成すると、当該気泡形状で輝くことになる。また席札の厚さを変化させると、当該変化の形状で、発光形態が定まり、例えば全体の厚さを徐々に変化させることで、席札全体を輝かせることもでき、適宜筋状溝による厚さの変化や、階段状に厚さを変化させることで、多重線形状の発光形態を得ることができる。
【図面の簡単な説明】
【００２２】
【図１】本考案の実施形態の全体の分解斜視図。
【図２】同全体斜視図。
【図３】同本体の断面図。
【図４】同全体の側面図
【符号の説明】
【００２３】
１        本体
１１      発光体
１２      溝部
１３      電池
１４      収納部
１５      スイッチ部
１６      蓋部
１７      鉤止部
２        席札
２１      文字
２２      凹状部
２３      発光部
２４      鉤止部
【図１】
0003123786.tif 000003
【図２】
0003123786.tif 000004
【図３】
0003123786.tif 000005
【図４】
0003123786.tif 000006